(57)【要約】【課題】正確なＲＦパルス幅決定を行う。【解決手段】ローカライザ・スキャン用ＲＦ磁場強度に対応するＲＦパルス振幅を決定するためにローカライザ・プリスキャンを行うステップ（Ｑ１）と、前記ローカライザ・スキャン用ＲＦ磁場強度に対応するＲＦパルス振幅のＲＦパルスを用いてローカライザ・スキャンを行うステップ（Ｑ２）と、前記ローカライザ・プリスキャンで実測したデータを基に本スキャンのＲＦパルス幅を決定するステップ（Ｑ３，Ｑ４）と、本スキャン用ＲＦ磁場強度に対応するＲＦパルス振幅を決定するために本スキャン・プリスキャンを行うステップ（Ｑ５）と、前記本スキャン用ＲＦ磁場強度に対応するＲＦパルス振幅のＲＦパルスを用いて本スキャンを行うステップ（Ｑ６）とを有する。【効果】ＲＦ電力増幅器の能力をフルに生かしたり、所望のＲＦ磁場強度が得られない事態が起こるのを回避したりすることが出来る。【選択図】図２
2006087778.tif 000002
【特許請求の範囲】
【請求項１】
ローカライザ・スキャン用ＲＦ磁場強度に対応するＲＦパルス振幅を決定するためにローカライザ・プリスキャンを行うローカライザ・プリスキャン・ステップと、前記ローカライザ・スキャン用ＲＦ磁場強度に対応するＲＦパルス振幅のＲＦパルスを用いてローカライザ・スキャンを行うローカライザ・スキャン・ステップと、前記ローカライザ・プリスキャンで実測したデータを基に本スキャンのＲＦパルス幅を決定する本スキャン用ＲＦパルス幅決定ステップと、本スキャン用ＲＦ磁場強度に対応するＲＦパルス振幅を決定するために本スキャン・プリスキャンを行う本スキャン・プリスキャン・ステップと、前記本スキャン用ＲＦ磁場強度に対応するＲＦパルス振幅のＲＦパルスを用いて本スキャンを行う本スキャン・ステップとを有することを特徴とするＭＲスキャン方法。
【請求項２】
請求項１に記載のＭＲスキャン方法において、前記本スキャン用ＲＦパルス幅決定ステップでは、前記ローカライザ・スキャン用ＲＦ磁場強度で前記ＲＦパルス振幅を除算して出力係数Ｃoeffを算出し、本スキャン用目標ＲＦ磁場強度Ｂ１_scanに前記出力係数Ｃoeffを乗算した値を本スキャン用目標振幅Ｏut_targetで除算して伸縮割合Ｓ_ratioを求め、その延長係数Ｓ_ratioを元の本スキャン用ＲＦパルス幅ＰＷ_scanに乗算して新たな本スキャン用ＲＦパルス幅ＰＷ_scanを決定することを特徴とするＭＲスキャン方法。
【請求項３】
請求項１または請求項２に記載のＭＲスキャン方法において、前記ローカライザ・スキャン用ＲＦ磁場強度として、被検体の体重が大きくてもＲＦパルス振幅が不足しないような小さな磁場強度を用いることを特徴とするＭＲスキャン方法。
【請求項４】
請求項１または請求項２に記載のＭＲスキャン方法において、少なくとも被検体の体重を含むパラメータを基にローカライザ・スキャン用ＲＦパルス幅を決定することを特徴とするＭＲスキャン方法。
【請求項５】
ローカライザ・スキャン用ＲＦ磁場強度に対応するＲＦパルス振幅を決定するためにローカライザ・プリスキャンを行うローカライザ・プリスキャン手段と、前記ローカライザ・スキャン用ＲＦ磁場強度に対応するＲＦパルス振幅のＲＦパルスを用いてローカライザ・スキャンを行うローカライザ・スキャン手段と、前記ローカライザ・プリスキャンで実測したデータを基に本スキャンのＲＦパルス幅を決定する本スキャン用ＲＦパルス幅決定手段と、本スキャン用ＲＦ磁場強度に対応するＲＦパルス振幅を決定するために本スキャン・プリスキャンを行う本スキャン・プリスキャン手段と、前記本スキャン用ＲＦ磁場強度に対応するＲＦパルス振幅のＲＦパルスを用いて本スキャンを行う本スキャン手段とを有することを特徴とするＭＲＩ装置。
【請求項６】
請求項５に記載のＭＲＩ装置において、前記本スキャン用ＲＦパルス幅決定手段は、前記ローカライザ・スキャン用ＲＦ磁場強度で前記ＲＦパルス振幅を除算して出力係数Ｃoeffを算出し、本スキャン用目標ＲＦ磁場強度Ｂ１_scanに前記出力係数Ｃoeffを乗算した値を本スキャン用目標振幅Ｏut_targetで除算して伸縮割合Ｓ_ratioを求め、その延長係数Ｓ_ratioを元の本スキャン用ＲＦパルス幅ＰＷ_scanに乗算して新たな本スキャン用ＲＦパルス幅ＰＷ_scanを決定することを特徴とするＭＲＩ装置。
【請求項７】
請求項５または請求項６に記載のＭＲＩ装置において、前記ローカライザ・スキャン用ＲＦ磁場強度として、被検体の体重が大きくてもＲＦパルス振幅が不足しないような小さな磁場強度を用いることを特徴とするＭＲＩ装置。
【請求項８】
請求項５または請求項６に記載のＭＲＩ装置において、少なくとも被検体の体重を含むパラメータを基にローカライザ・スキャン用ＲＦパルス幅を決定することを特徴とするＭＲＩ装置。
【発明の詳細な説明】
【技術分野】
【０００１】
本発明は、ＭＲ（Magnetic Resonance）スキャン方法およびＭＲＩ（Magnetic Resonance Imaging）装置に関し、更に詳しくは、正確なＲＦパルス幅決定を行うことが出来るＭＲスキャン方法およびＭＲＩ装置に関する。
【背景技術】
【０００２】
従来、所望のＲＦ磁場強度を得るためのＲＦパルスの振幅を求める手法が種々提案されている（例えば特許文献１参照。）
また、基準振幅のＲＦパルスを送信し、形成されるＲＦ磁場強度をピックアップコイルを用いて実測し、基準振幅とＲＦ磁場強度の関係から本スキャン用ＲＦ磁場強度を得るためのＲＦパルスの振幅を計算し、その振幅がＲＦ電力増幅器で出力不可能な場合は、元のＲＦパルス幅を延長する技術が知られている（例えば特許文献２参照。）
また、本スキャンの前にローカライズ・スキャンを行う技術が知られている（特許文献３参照。）。
【特許文献１】特開平１１−２９０２８８号公報
【特許文献２】特開２００３−１９０１１８号公報
【特許文献３】特開２００３−３３９６６２号公報
【発明の開示】
【発明が解決しようとする課題】
【０００３】
従来、所望のＲＦ磁場強度を得るためのＲＦパルスの振幅がＲＦ電力増幅器で出力不可能な場合、元のＲＦパルス幅を延長することが行われており、上記特許文献２ではピックアップコイルを用いて実測したデータを基にＲＦパルス幅を延長することが提案されている。ところが、ピックアップコイルを用いた実測は煩雑であるため、実際には、被検体の体重や送信コイルの特性などのパラメータと実験式とを基に計算によってＲＦパルス幅を延長することが多く行われている。
しかし、計算によるＲＦパルス幅の延長は被検体依存で誤差が大きく、延長されたＲＦパルス幅が過剰だったり（ＲＦ電力増幅器の能力をフルに生かせない）、延長されたＲＦパルス幅が不足したり（所望のＲＦ磁場強度が得られない）する事態が起こっていた。
そこで、本発明の目的は、正確なＲＦパルス幅決定を行うことが出来るＭＲスキャン方法およびＭＲＩ装置を提供することにある。
【課題を解決するための手段】
【０００４】
第１の観点では、本発明は、ローカライザ・スキャン用ＲＦ磁場強度に対応するＲＦパルス振幅を決定するためにローカライザ・プリスキャンを行うローカライザ・プリスキャン・ステップと、前記ローカライザ・スキャン用ＲＦ磁場強度に対応するＲＦパルス振幅のＲＦパルスを用いてローカライザ・スキャンを行うローカライザ・スキャン・ステップと、前記ローカライザ・プリスキャンで実測したデータを基に本スキャンのＲＦパルス幅を決定する本スキャン用ＲＦパルス幅決定ステップと、本スキャン用ＲＦ磁場強度に対応するＲＦパルス振幅を決定するために本スキャン・プリスキャンを行う本スキャン・プリスキャン・ステップと、前記本スキャン用ＲＦ磁場強度に対応するＲＦパルス振幅のＲＦパルスを用いて本スキャンを行う本スキャン・ステップとを有することを特徴とするＭＲスキャン方法を提供する。
上記第１の観点によるＭＲスキャン方法では、ピックアップコイルを用いた煩雑な実測をする必要がないが、ローカライザ・プリスキャンで実測したデータを基に本スキャンのＲＦパルス幅を決定するので、計算によるＲＦパルス幅の延長に比べて正確なＲＦパルス幅決定を行うことが出来る。なお、ローカライザ・プリスキャンやローカライザ・スキャンは、スライス位置決めのために本発明と関係なく行われており、本発明のために増加する処理は少なくて済む。
【０００５】
第２の観点では、本発明は、上記第１の観点によるＭＲスキャン方法において、前記本スキャン用ＲＦパルス幅決定ステップでは、前記ローカライザ・スキャン用ＲＦ磁場強度で前記ＲＦパルス振幅を除算して出力係数Ｃoeffを算出し、本スキャン用目標ＲＦ磁場強度Ｂ１_scanに前記出力係数Ｃoeffを乗算した値を本スキャン用目標振幅Ｏut_targetで除算して伸縮割合Ｓ_ratioを求め、その延長係数Ｓ_ratioを元の本スキャン用ＲＦパルス幅ＰＷ_scanに乗算して新たな本スキャン用ＲＦパルス幅ＰＷ_scanを決定することを特徴とするＭＲスキャン方法を提供する。
上記第２の観点によるＭＲスキャン方法では、ローカライザ・プリスキャンで実測したデータを基に本スキャン用ＲＦパルス幅を決定するので、計算によるＲＦパルス幅の延長に比べて正確なＲＦパルス幅決定を行うことが出来る。
【０００６】
第３の観点では、本発明は、上記第１または上記第２の観点によるＭＲスキャン方法において、前記ローカライザ・スキャン用ＲＦ磁場強度として、被検体の体重が大きくてもＲＦパルス振幅が不足しないような小さな磁場強度を用いることを特徴とするＭＲスキャン方法を提供する。
上記第３の観点によるＭＲスキャン方法では、ローカライザ・スキャン用ＲＦ磁場強度は制限されるが、ローカライザ・スキャンで用いるＲＦパルス幅を簡易に決定することが出来る。
【０００７】
第４の観点では、本発明は、上記第１または上記第２の観点によるＭＲスキャン方法において、少なくとも被検体の体重を含むパラメータを基にローカライザ・スキャン用ＲＦパルス幅を決定することを特徴とするＭＲスキャン方法を提供する。
上記第４の観点によるＭＲスキャン方法では、ローカライザ・スキャンで用いるＲＦパルス幅を決定する処理が必要になるが、被検体の体重が大きくてもＲＦパルス振幅が不足しないような小さな磁場強度にローカライザ・スキャン用ＲＦ磁場強度が制限されなくなる。
【０００８】
第５の観点では、本発明は、ローカライザ・スキャン用ＲＦ磁場強度に対応するＲＦパルス振幅を決定するためにローカライザ・プリスキャンを行うローカライザ・プリスキャン手段と、前記ローカライザ・スキャン用ＲＦ磁場強度に対応するＲＦパルス振幅のＲＦパルスを用いてローカライザ・スキャンを行うローカライザ・スキャン手段と、前記ローカライザ・プリスキャンで実測したデータを基に本スキャンのＲＦパルス幅を決定する本スキャン用ＲＦパルス幅決定手段と、本スキャン用ＲＦ磁場強度に対応するＲＦパルス振幅を決定するために本スキャン・プリスキャンを行う本スキャン・プリスキャン手段と、前記本スキャン用ＲＦ磁場強度に対応するＲＦパルス振幅のＲＦパルスを用いて本スキャンを行う本スキャン手段とを有することを特徴とするＭＲＩ装置を提供する。
上記第５の観点によるＭＲＩ装置では、前記第１の観点によるＭＲスキャン方法を好適に実施できる。
【０００９】
第６の観点では、本発明は、上記第５の観点によるＭＲＩ装置において、前記本スキャン用ＲＦパルス幅決定手段は、前記ローカライザ・スキャン用ＲＦ磁場強度で前記ＲＦパルス振幅を除算して出力係数Ｃoeffを算出し、本スキャン用目標ＲＦ磁場強度Ｂ１_scanに前記出力係数Ｃoeffを乗算した値を本スキャン用目標振幅Ｏut_targetで除算して伸縮割合Ｓ_ratioを求め、その延長係数Ｓ_ratioを元の本スキャン用ＲＦパルス幅ＰＷ_scanに乗算して新たな本スキャン用ＲＦパルス幅ＰＷ_scanを決定することを特徴とするＭＲＩ装置を提供する。
上記第６の観点によるＭＲＩ装置では、前記第２の観点によるＭＲスキャン方法を好適に実施できる。
【００１０】
第７の観点では、本発明は、上記第５または上記第６の観点によるＭＲＩ装置において、前記ローカライザ・スキャン用ＲＦ磁場強度として、被検体の体重が大きくてもＲＦパルス振幅が不足しないような小さな磁場強度を用いることを特徴とするＭＲＩ装置を提供する。
上記第７の観点によるＭＲＩ装置では、前記第３の観点によるＭＲスキャン方法を好適に実施できる。
【００１１】
第８の観点では、本発明は、上記第５または上記第６の観点によるＭＲＩ装置において、少なくとも被検体の体重を含むパラメータを基にローカライザ・スキャン用ＲＦパルス幅を決定することを特徴とするＭＲＩ装置を提供する。
上記第８の観点によるＭＲＩ装置では、前記第４の観点によるＭＲスキャン方法を好適に実施できる。
【発明の効果】
【００１２】
本発明のＭＲスキャン方法およびＭＲＩ装置によれば、正確なＲＦパルス幅決定を行うことが出来る。このため、ＲＦ電力増幅器の能力をフルに生かしたり、所望のＲＦ磁場強度が得られない事態が起こるのを回避したりすることが出来る。
【発明を実施するための最良の形態】
【００１３】
以下、図に示す実施の形態により本発明をさらに詳細に説明する。なお、これにより本発明が限定されるものではない。
【実施例１】
【００１４】
図１は、実施例１に係るＭＲＩ装置１００を示すブロック図である。
このＭＲＩ装置１００において、マグネットアセンブリ１は、内部に被検体を挿入するための空間部分（ボア）を有し、この空間部分を取りまくようにして、Ｘ軸勾配磁場を形成するＸ軸勾配コイル１Ｘと、Ｙ軸勾配磁場を形成するＹ軸勾配コイル１Ｙと、Ｚ軸勾配磁場を形成するＺ軸勾配コイル１Ｚと、被検体内の原子核のスピンを励起するためのＲＦパルスを与える送信コイル１Ｔと、被検体からのＮＭＲ信号を検出する受信コイル１Ｒと、静磁場を形成する永久磁石対１Ｍとを具備している。なお、永久磁石対１Ｍの代わりに超電導マグネットを用いてもよい。
【００１５】
Ｘ軸勾配コイル１Ｘ，Ｙ軸勾配コイル１Ｙ，Ｚ軸勾配コイル１Ｚは、それぞれＸ軸勾配コイル駆動回路３Ｘ，Ｙ軸勾配コイル駆動回路３Ｙ，Ｚ軸勾配コイル駆動回路３Ｚに接続されている。
送信コイル１Ｔは、ＲＦ電力増幅器４に接続されている。
受信コイル１Ｒは、前置増幅器５に接続されている。
【００１６】
シーケンス記憶回路８は、計算機７からの指令に従い、記憶しているパルスシーケンスに基づいて勾配コイル駆動回路３Ｘ，３Ｙ，３Ｚを操作し、勾配コイル１Ｘ，１Ｙ，１Ｚから勾配磁場を発生させると共に、ゲート変調回路９を操作し、ＲＦ発振回路１０の搬送波出力信号を所定タイミング・所定包絡線形状・所定位相のパルス状信号に変調し、それをＲＦパルスとしてＲＦ電力増幅器４に加え、ＲＦ電力増幅器４でパワー増幅した後、送信コイル１Ｔに印加する。
【００１７】
前置増幅器５は、受信コイル１Ｒで受信された被検体からのＮＭＲ信号を増幅し、位相検波器１２に入力する。位相検波器１２は、ＲＦ発振回路１０の搬送波出力信号を参照信号とし、前置増幅器５からのＮＭＲ信号を位相検波して、ＡＤ変換器１１に与える。ＡＤ変換器１１は、位相検波後のアナログ信号をデジタルデータに変換して、計算機７に入力する。
【００１８】
計算機７は、操作卓１３から入力された情報を受け取るなどの全体的な制御を受け持つ。また、計算機７は、ＡＤ変換器１１からデジタルデータを読み込み、演算処理を行って画像を生成する。
表示装置６は、画像やメッセージを表示する。
【００１９】
図２は、実施例１にかかるＭＲスキャン処理を示すフロー図である。
ステップＱ１では、ローカライザ・スキャン用ＲＦパルス振幅Ｏut_locを決定するためのローカライザ・プリスキャンを行う。例えば、ローカライザ・プリスキャンのシーケンスをスピンエコー・シーケンスとし、９０゜パルスのＲＦパルス幅ＰＷ_90.locを３.２［ms］，９０゜パルスのＲＦ磁場強度Ｂ１_90.loc.preを０.０９[Gauss]とし、１８０゜パルスのＲＦパルス幅ＰＷ_180.locを６.４［ms］，１８０゜パルスのＲＦ磁場強度Ｂ１_180.loc.preを０.０９[Gauss]とするとき、図３に示すような９０゜パルスＲ１と１８０゜パルスＲ２とをＲＦパルス振幅Ａを変えながら印加し、スピンエコー信号の強度が最大となるＲＦパルス振幅Ａmaxを求める。ここでは、ＲＦパルス振幅Ａmaxが６０[％]であったとする（ＲＦ電力増幅器４で可能な最大ＲＦパルス振幅を１００[％]とする）。
なお、ＲＦ磁場強度Ｂ１_90.loc.preおよびＢ１_180.loc.preは、被検体の体重が大きくてもＲＦパルス振幅ＰＷ_90.locおよびＰＷ_180.locが不足しないような小さな磁場強度とする。これにより、ＲＦパルス幅ＰＷ_90.locおよびＰＷ_180.locを簡易に決めることが出来る。
【００２０】
ステップＱ２では、ローカライザ・プリスキャンで実測したデータを基にローカライザ・スキャンのＲＦパルス振幅Ｏut_locを決定し、その決定したＲＦパルス振幅Ｏut_locのＲＦパルスを用いてローカライザ・スキャンを行う。例えば、ローカライザ・スキャンのシーケンスをグラジエントエコー・シーケンスとし、フリップ角を３０゜、ＲＦパルス幅ＰＷ_locを３.２［ms］，ＲＦ磁場強度Ｂ１_locを０.０３[Gauss]とするとき、ローカライザ・プリスキャンでのＲＦ磁場強度Ｂ１_90.loc.pre＝Ｂ１_180.loc.pre＝０.０９[Gauss]に対してＲＦパルス振幅Ａmaxが６０[％]であったなら、ローカライザ・スキャンのＲＦパルス振幅Ｏut_locは、
Ｏut_loc＝０.０３[Gauss]×６０[％]／０.０９[Gauss]＝２０[％]
と決定する。そして、図４に示すようなＲＦパルスＲを印加し、ローカライズのためのデータを収集する。
【００２１】
ステップＱ３では、ローカライザ・プリスキャンで実測したデータを基に伸縮割合Ｓ_ratioを算出する。例えば、まず、ローカライザ・スキャン用ＲＦ磁場強度Ｂ１_locでＲＦパルス振幅Ｏut_locを除算して出力係数Ｃoeffを算出する。
Ｃoeff＝Ｏut_loc／Ｂ１_loc＝２０[％]／０.０３[Gauss]≒６６７[％]／[Gauss]
あるいは、ローカライザ・プリスキャン用ＲＦ磁場強度Ｂ１_90.loc.pre＝Ｂ１_180.loc.pre＝０.０９[Gauss]でＲＦパルス振幅Ａmaxを除算して出力係数Ｃoeffを算出する。
Ｃoeff＝６０[％]／０.０９[Gauss]≒６６７[％／Gauss]
次に、次式により伸縮割合Ｓ_ratioを求める。
S_ratio＝B1_scan.target×Coeff／Out_scan.target
つまり、本スキャン用目標ＲＦ磁場強度Ｂ１_scan.targetに出力係数Ｃoeffを乗算した値を本スキャン用目標振幅Ｏut_scan.targetで除算すれば伸縮割合Ｓ_ratioが求まる。例えば、本スキャンのシーケンスをスピンエコー・シーケンスとし、９０゜パルスのＲＦ磁場強度Ｂ１_scan.targetを０.０９[Gauss]とし、１８０゜パルスのＲＦ磁場強度Ｂ１_scan.targetを０.１８[Gauss]とし、本スキャン用目標振幅Ｏut_scan.targetを８０[％]とするとき、９０゜パルスについては、
Ｓ１_ratio＝０.０９[Gauss]×６６７[％／Gauss]／８０[％]＝０.７５
となり、１８０゜パルスについては、
Ｓ２_ratio＝０.１８[Gauss]×６６７[％／Gauss]／８０[％]＝１.５
となる。
なお、ＲＦ電力増幅器４を余裕をもって有効利用するために、本スキャン用目標振幅Ｏut_scan.targetを６０[％]〜９０[％]にするのが好ましい。
【００２２】
ステップＱ４では、仮ＲＦパルス幅に伸縮割合Ｓ_ratioを乗算して本スキャン用ＲＦパルス幅を決定する。例えば、前述の例では、図５に示すように、９０゜パルスのＲＦパルス幅ＰＷ_90.scanは、９０゜パルスの仮ＲＦパルス幅を３.２［ms］とするとき、
ＰＷ_90.scan＝３.２［ms］×０.７５＝２.４［ms］
に短縮し、１８０゜パルスのＲＦパルス幅ＰＷ_180.scanは、１８０゜パルスの仮ＲＦパルス幅を３.２［ms］とするとき、
ＰＷ_180.scan＝３.２［ms］×１.５＝４.８［ms］
に延長する。
【００２３】
ステップＱ５では、決定したＲＦパルス幅のＲＦパルスを用いた本スキャン用ＲＦ磁場強度に対応するＲＦパルス振幅Ｏut_scanを決定するために本スキャン・プリスキャンを行う。例えば、図５に示すような９０゜パルスＲ１（ＲＦパルス幅２.４[ｍｓ]）と１８０゜パルスＲ２（ＲＦパルス幅４.８[ｍｓ]）とを、ＲＦパルス振幅Ｈを変えながら印加し、スピンエコー信号の強度が最大となるＲＦパルス振幅Ｈmaxを求める。
【００２４】
ステップＱ６では、本スキャン・プリスキャンで実測したＲＦパルス振幅Ｈmaxを本スキャン用ＲＦパルス振幅Ｏut_scanとして決定する。
Ｏut_scan＝Ｈmax
そして、その決定したＲＦパルス振幅Ｏut_scanのＲＦパルスを用いて本スキャンを行う。例えば、図６に示すようなＲＦパルスＲ１（ＲＦパルス幅ＰＷ_90.scan＝２.４[ｍｓ]），Ｒ２（ＲＦパルス幅ＰＷ_180.scan＝４.８[ｍｓ]）を印加し、イメージングのためのデータを収集する。
【００２５】
実施例１のＭＲＩ装置１００によれば、ピックアップコイルを用いた煩雑な実測をする必要がないが、ローカライザ・プリスキャンで実測したデータを基に本スキャンのＲＦパルス幅を決定するので、計算だけによるＲＦパルス幅の延長に比べて正確なＲＦパルス幅決定を行うことが出来る。また、ＲＦ電力増幅器４を有効利用することが出来る。
なお、ローカライザ・プリスキャンやローカライザ・スキャンは、スライス位置決めのために本発明と関係なく行われており、本発明のために増加する処理は少なくて済む。
【実施例２】
【００２６】
処理を簡単にするために、ＲＦパルス幅ＰＷの短縮は行わず、延長のみ行うようにしてもよい。
その場合は、例えば図７に示すような９０゜パルスＲ１（ＲＦパルス幅ＰＷ_90.scan＝ＰＷ_90.scan.target＝３.２[ｍｓ]）と１８０゜パルスＲ２（ＲＦパルス幅ＰＷ_180.scan＝４.８[ｍｓ]）とを、ＲＦパルス振幅Ｈを変えながら印加し、スピンエコー信号の強度が最大となるＲＦパルス振幅Ｈmaxを求める。
そして、ＲＦパルス振幅Ｈmaxを本スキャン用ＲＦパルス振幅Ｏut_scanとして決定し、その決定したＲＦパルス振幅Ｏut_scanのＲＦパルスを用いて本スキャンを行う。例えば、図８に示すようなＲＦパルスＲ１（ＲＦパルス幅ＰＷ_90.scan＝３.２[ｍｓ]），Ｒ２（ＲＦパルス幅ＰＷ_180.scan＝４.８[ｍｓ]）を印加し、イメージングのためのデータを収集する。
【実施例３】
【００２７】
被検体の体重やコイルの特性を含むパラメータおよび実験式を補助的に用いてもよい。
【００２８】
図９は、実施例３にかかるＭＲスキャン処理を示すフロー図である。
ステップＰ１では、被検体の体重やコイルの特性を含むパラメータおよび実験式により、ローカライザ・スキャン用ＲＦパルス幅ＰＷ_locを決定する。
【００２９】
ステップＰ２では、決定したローカライザ・スキャン用ＲＦパルス幅ＰＷ_locのＲＦパルスを用いてステップＱ１と同様のローカライザ・プリスキャンを行う。
ステップＰ３では、ステップＱ２と同様にしてローカライザ・スキャンを行う。
【００３０】
ステップＰ４では、被検体の体重やコイルの特性を含むパラメータおよび実験式により、本スキャン用仮ＲＦパルス幅ＰＷ_scan.targetを決定する。
【００３１】
ステップＰ５では、ステップＱ３と同様にして伸縮割合Ｓ_ratioを算出する。
ステップＰ６では、ステップＱ４と同様にして本スキャン用ＲＦパルス幅ＰＷ_scanを決定する。
ステップＰ７では、ステップＱ５と同様に本スキャン・プリスキャンを行う。
ステップＰ８では、ステップＱ６と同様にして本スキャンを行う。
【００３２】
実施例３のＭＲＩ装置によれば、被検体の体重やコイルの特性を含むパラメータおよび実験式を補助的に用いることにより、ローカライズ時に被検体の体重が大きくてもＲＦパルス振幅が不足しないような小さなＲＦ磁場強度とする実施例１のような制限がなくなる。
【産業上の利用可能性】
【００３３】
本発明のＭＲスキャン方法およびＭＲＩ装置は、被検体の断層像を得るのに利用できる。
【図面の簡単な説明】
【００３４】
【図１】実施例１に係るＭＲＩ装置の構成を示すブロック図である。
【図２】実施例１に係るＭＲスキャン処理を示すフロー図である。
【図３】ローカライザ・プリスキャン時のＲＦパルスを示す概念図である。
【図４】ローカライザ・スキャン時のＲＦパルスを示す概念図である。
【図５】実施例１に係る本スキャン・プリスキャン時のＲＦパルスを示す概念図である。
【図６】実施例１に係る本スキャン時のＲＦパルスを示す概念図である。
【図７】実施例２に係る本スキャン・プリスキャン時のＲＦパルスを示す概念図である。
【図８】実施例２に係る本スキャン時のＲＦパルスを示す概念図である。
【図９】実施例３に係るＭＲスキャン処理を示すフロー図である。
【符号の説明】
【００３５】
１Ｔ                送信コイル
１Ｘ                Ｘ軸勾配コイル
１Ｙ                Ｙ軸勾配コイル
１Ｚ                Ｚ軸勾配コイル
４                  ＲＦ電力増幅器
１００              ＭＲＩ装置
【図１】
2006087778.tif 000003
【図２】
2006087778.tif 000004
【図３】
2006087778.tif 000005
【図４】
2006087778.tif 000006
【図５】
2006087778.tif 000007
【図６】
2006087778.tif 000008
【図７】
2006087778.tif 000009
【図８】
2006087778.tif 000010
【図９】
2006087778.tif 000011